(57)【要約】【課題】不用意な光ファイバの飛び出しを防止して光ファイバの収納作業性を向上し、フレキシブルダクトを積層した際の連結強度を向上することができ、蓋体を紛失することがなく、安価に製造することができるフレキシブルダクトを提供する。【解決手段】フレキシブルダクト１は、光ファイバ等を収納する凹溝状の本体２の内部を２分割するように略中央に連結片４を立設し、複数の本体２を連結片４によって連結して湾曲自在にする。本体２の両側板部７の上端縁に蓋体３を開閉自在に一体成形し、蓋体３の開放端に係合凸部１０を形成し、連結片４の上端部に蓋体３の係合凸部１０と係合可能な第一係合凹部１１を形成して本体２の２つの収納部１２を個別に閉塞可能にするとともに、本体２の側板部７に別の本体２の蓋体３に形成された係合凸部１０と係合可能な第二係合凹部１３を形成してフレキシブルダクト１を積層可能にする。【選択図】        図１
2004361060.tif 000002
【特許請求の範囲】
【請求項１】
光ファイバ等を収納可能に形成した凹溝状の本体の内部を２分割するように略中央に連結片を立設し、該連結片の一方端に複数の連結穴を形成し、他方端に前記連結穴に対向する連結ピンを突設し、該連結ピンを別の本体の連結穴に嵌合させることによって複数の本体を連結して湾曲自在にされたフレキシブルダクトにおいて、前記本体の両側板部の上端縁に蓋体を開閉自在に一体成形し、該蓋体の開放端に係合凸部を形成し、前記連結片の上端部に前記蓋体の係合凸部と係合可能な第一係合凹部を形成するとともに、前記本体の側板部に別の蓋体の係合凸部と係合可能な第二係合凹部を形成したことを特徴とするフレキシブルダクト。
【発明の詳細な説明】
【０００１】
【発明の属する技術分野】
本発明は、光ファイバ等を湾曲自在に収容するためのフレキシブルダクトに関する。
【０００２】
【従来の技術】
従来のフレキシブルダクトは図５及び図６に示すように凹溝状の本体２２の内部を２分割するように略中央に連結片２４が立設され、この連結片２４の一方端に複数の連結穴２５が形成され、他方端に連結穴２５と対向する連結ピン（図示せず）が突設されて、連結ピンを他の本体の連結穴２５に嵌合させることによって複数の本体２２を連結して湾曲自在に形成されている。そして、本体２２の両側板部２７の上端縁に係合凹部３１が形成され、蓋体２３の下面両端縁に本体２２の係合凹部３１と係合可能な係合凸部３０を形成して本体２２の上面開口を閉塞している。光ファイバを本体２２の収納部３２に収納するには、蓋体２３のどちらか一方の係合を解除し他方を軸として開放した状態、又は蓋体２３の両方の係合を解除して蓋体２３を取り外した状態で行うことができる。また、蓋体２３の上面両端縁に係合爪３４が突設され、蓋体２３の上に別の本体２２に積み重ねて本体２２の側板部２７に形成した係合部３３に係合させることにより、フレキシブルダクト２１を積層することもできる（例えば、非特許文献１参照。）。
【０００３】
【非特許文献１】
“光通信用  スプライス  ＳＥＲＩＥＳ  ボックス／ユニット”、河村電器産業株式会社、２００２年１１月、ｐ．９−１０
【０００４】
【発明が解決しようとする課題】
しかしながら、従来のフレキシブルダクトは本体と蓋体の２部品で構成しているため、製造コストがかかるし、蓋体を取り外した際に紛失する虞があった。また、本体の上面開口を１枚の蓋体で閉塞しているため、本体の一方の収納部に光ファイバを収納する際に他方に収納しておいた光ファイバが飛び出すことがあり、再び収納する必要が発生する等、作業性が良くなかった。また、フレキシブルダクトを積層する際に蓋体を介して別のフレキシブルダクトと連結しているため、本体の係合凹部と蓋体の係合凸部の係合強度が低いと蓋体が不用意に開放するし、本体の係合凹部と蓋体の係合凸部の係合強度が高いと蓋体の開閉が困難になり、蓋体の開放時に蓋体の係合爪と本体の係合部の連結が外れるという欠点があった。
【０００５】
そこで上記問題点に鑑み、本発明の目的は、不用意な光ファイバの飛び出しを防止して光ファイバの収納作業性を向上し、フレキシブルダクトを積層した際の連結強度を向上することができ、蓋体を紛失することがなく、安価に製造することができるフレキシブルダクトを提供することである。
【０００６】
【課題を解決するための手段】
上記目的を達成するために、光ファイバ等を収納可能に形成した凹溝状の本体の内部を２分割するように略中央に連結片を立設し、連結片の一方端に複数の連結穴を形成し、他方端に連結穴に対向する連結ピンを突設し、連結ピンを別の本体の連結穴に嵌合させることによって複数の本体を連結して湾曲自在にされたフレキシブルダクトにおいて、本体の両側板部の上端縁に蓋体を開閉自在に一体成形し、蓋体の開放端に係合凸部を形成し、連結片の上端部に蓋体の係合凸部と係合可能な第一係合凹部を形成するとともに、本体の側板部に別の蓋体の係合凸部と係合可能な第二係合凹部を形成したことを特徴とする。
【０００７】
【発明の実施の形態】
フレキシブルダクトは、光ファイバ等を収納可能に形成した凹溝状の本体の内部を２分割するように略中央に連結片を立設し、連結片の一方端に複数の連結穴を形成し、他方端に連結穴に対向する連結ピンを突設し、連結ピンを別の本体の連結穴に嵌合させることによって複数の本体を連結して湾曲自在にされ、本体の両側板部の上端縁に蓋体を開閉自在に一体成形し、蓋体の開放端に係合凸部を形成し、連結片の上端部に蓋体の係合凸部と係合可能な第一係合凹部を形成して本体の２つの収納部を個別に閉塞可能にするとともに、本体の側板部に別の本体の蓋体に形成された係合凸部と係合可能な第二係合凹部を形成してフレキシブルダクトを積層可能にする。
【０００８】
【実施例】
本発明に係るフレキシブルダクトの実施例を図１〜図４の添付図面に基づいて説明する。
【０００９】
フレキシブルダクト１は、合成樹脂等により形成され、光ファイバ（図示せず）等を収納するために凹溝状に形成された本体２と、この本体２の上面開口を施蓋するための蓋体３とで構成したものを複数連結して成っている。
【００１０】
本体２は内部を２分割するように略中央に連結片４が立設され、連結片４の一方端に２つの連結穴５が形成され、他方端に連結穴５と対向する２つの連結ピン６が突設されている。連結ピン６は棒状部６ａの先端に球状部６ｂが形成された形状であり、連結穴５は入口側が連結ピン６の棒状部６ａの直径より大きくて球状部６ｂの直径よりは小さい直径の小径部５ａと、奥側が球状部６ｂの直径より大きい直径の大径部５ｂとで形成されている。そして、本体２の連結ピン６を別の本体２の連結穴５に圧入嵌合させて複数の本体２を連結する。連結ピン６は柔軟に曲げることができ、また、本体２と本体２の間に間隙を設けている。これによってフレキシブルダクト１は湾曲自在にされている。
【００１１】
本体２の両側板部７の上端縁には蓋体３が開閉自在に一体成形され、この蓋体３の開放端には弾性部８と、弾性部８に連続したつまみ部９が形成され、弾性部８の端部には係合凸部１０が形成されている。また、連結片４の上端部には蓋体３の係合凸部１０と対向する第一係合凹部１１が形成されている。蓋体３を閉塞するには蓋体３の上面を指で押し、係合凸部１０が連結片４の上端部に当接したところで、更に蓋体３を押し込むと蓋体３の弾性部８が弾性変形して係合凸部１０が連結片４の上端部を乗り越え、第一係合凹部１１に係合することにより行う。また、蓋体３を開放するにはつまみ部９に指を引っ掛けて外側方向（蓋体の閉塞端方向）に引っ張り、蓋体３の弾性部８が弾性変形した状態でつまみ部９を斜め上方向に上げると蓋体３の係合凸部１０と連結片４の第一係合凹部１１との係合が解除して蓋体３を開放することができる。蓋体３は本体２の２つの収納部１２を個別に施蓋できるため、必要に応じて蓋体３を開閉することができ、不用意な光ファイバの飛び出しを防止することができる。
【００１２】
更に本体２の側板部７にも別の本体２の蓋体３に形成された係合凸部１０と対向する第二係合凹部１３が形成されている。これによって、蓋体３を開放した状態で本体２の連結片４の上に別の本体２を載置し、下段の蓋体３の係合凸部１０を上段の本体２の第二係合凹部１３に係合させることにより、フレキシブルダクト１を積層することができる。尚、本体２の第二係合凹部１３と蓋体３の係合凸部１０の係合構造は、連結片４の第一係合凹部１１と蓋体３の係合凸部１０の係合構造と同じであるため、操作方法は省略する。上段の本体２は下段の本体２との一方の係合を解除することにより他方側を軸としてを回動させることができ、下段の本体２の上面開口を開放することができる。このとき、両方の収納部１０が開放されるので作業の間だけ一方側の蓋体３を施蓋して不用意に光ファイバが飛び出さないようにすると良い。
【００１３】
尚、本体と蓋体の係合部の形状や連結部の構造について限定はなく、本発明の趣旨を逸脱しない範囲で適宜変更可能である。
【００１４】
【発明の効果】
以上説明したように、光ファイバ等を収納可能に形成した凹溝状の本体の内部を２分割するように略中央に連結片を立設し、連結片の一方端に複数の連結穴を形成し、他方端に連結穴に対向する連結ピンを突設し、連結ピンを別の本体の連結穴に嵌合させることによって複数の本体を連結して湾曲自在にされたフレキシブルダクトにおいて、本体の両側板部の上端縁に蓋体を開閉自在に一体成形し、蓋体の開放端に係合凸部を形成し、連結片の上端部に蓋体の係合凸部と係合可能な第一係合凹部を形成するとともに、本体の側板部に別の蓋体の係合凸部と係合可能な第二係合凹部を形成したことにより、本体の２つの収納部を個別に蓋体で閉塞することができるので不用意な光ファイバの飛び出しを防止して光ファイバの収納作業性が向上し、また、フレキシブルダクトを積層した際の連結強度を向上することができ、また、蓋体を本体に一体成形しているので紛失することがないとともに安価に製造することができるという効果がある。
【図面の簡単な説明】
【図１】本発明に係るフレキシブルダクトの正面図であり、（ａ）は蓋体を開放した状態、（ｂ）は蓋体を閉塞した状態を示す。
【図２】本発明に係るフレキシブルダクトの蓋体を閉塞した状態を示す平面図である。
【図３】本発明に係るフレキシブルダクトの本体を複数連結した状態を示す平面図である。
【図４】本発明に係るフレキシブルダクトを２段に積み上げた状態の正面図であり、（ａ）は２つのフレキシブルダクトを完全に係合させた状態、（ｂ）は一方の係合を解除し、他方を軸として上段の本体を回動させて下段の本体の上面開口を開放した状態を示す。
【図５】従来のフレキシブルダクトの正面図であり、（ａ）は蓋体を開放した状態、（ｂ）は蓋体を閉塞した状態を示す。
【図６】従来のフレキシブルダクトを２段に積み上げた状態の正面図であり、（ａ）は２つのフレキシブルダクトを完全に係合させた状態、（ｂ）は蓋体の一方の係合を解除し、他方を軸として上段の本体を回動させて下段の本体の上面開口を開放した状態を示す。
【符号の説明】
１…フレキシブルダクト
２…本体
３…蓋体
４…連結片
７…側板部
１０…係合凸部
１１…第一係合凹部
１２…収納部
１３…第二係合凹部
【図１】
2004361060.tif 000003
【図２】
2004361060.tif 000004
【図３】
2004361060.tif 000005
【図４】
2004361060.tif 000006
【図５】
2004361060.tif 000007
【図６】
2004361060.tif 000008